(57)【要約】      （修正有）【課題】組み立てに必要なねじの数を減らし、部品点数を減らすとともに、組み立てに要する手間及び時間を低減できる光ディスク装置を提供する。【解決手段】メインシャーシの上面を覆うカバーシャーシ４と、光ディスクＤｓを搬送ローラ側に押すフラップ３１と、フラップ３１を回動可能に支持するフラップホルダ３２Ｒ（３２Ｌ）とを備え、フラップホルダ３２Ｒ（３２Ｌ）がカバーシャーシ４に取り付けられたとき、カバーシャーシ４との間に隙間ができるように形成されている止め部３３Ｒ（３３Ｌ）を備えている。【選択図】図１０
2010198652.tif 000002
【特許請求の範囲】
【請求項１】
メインシャーシの上面を覆うカバーシャーシと、
光ディスクを前記メインシャーシに備えられた搬送ローラ側に押すフラップと、
前記カバーシャーシに取り付けられ前記フラップを回動可能に支持するフラップホルダとを備え、光ディスクが単体で搬送される光ディスク装置であって、
前記フラップホルダは前記カバーシャーシに形成された係止孔に係合される係止部を備えており、
前記係止部は前記フラップホルダより立設された立設部と、前記立設部と交差する方向に伸び前記係止部が前記係止孔から抜けるのを抑制する止め部とを備えており、
前記止め部は前記フラップホルダが前記カバーシャーシに取り付けられたとき、前記カバーシャーシとの間に隙間ができるように形成されていることを特徴とする光ディスク装置。
【請求項２】
前記フラップホルダは前記フラップの回動方向と同じ方向に回動することで前記カバーシャーシに取り付けられるものであり、
前記係止部は前記フラップの回動方向と平行な方向に曲がる形状を有している請求項１に記載の光ディスク装置。
【請求項３】
前記係止部は、前記立設部と平行に配置された係合部と、前記立設部の先端と前記係合部とを連結する連結部とを備えたＵ字形状を有しており、
前記止め部は前記係合部の先端に形成されている請求項２に記載の光ディスク装置。
【請求項４】
前記係止部は、前記止め部が前記立設部の先端に配置されている請求項２に記載の光ディスク装置。
【請求項５】
前記止め部は前記フラップホルダに近づくにしたがって広がる楔形状である請求項２から請求項４のいずれかに記載の光ディスク装置。
【発明の詳細な説明】
【技術分野】
【０００１】
本発明は光ディスクに光を照射することで情報を記録／再生することができる光ディスク装置に関するものである。
【背景技術】
【０００２】
ＣＤ（Ｃｏｍｐａｃｔ Ｄｉｓｃ）、ＤＶＤ（Ｄｉｇｉｔａｌ Ｖｅｒｓａｔｉｌｅ  Ｄｉｓｃ）、ＢＤ（Ｂｌｕ−Ｒａｙ  Ｄｉｓｃ）等の光ディスクを記録媒体として用いる光ディスク装置では、光ピックアップより出射されたレーザ光を光ディスクの記録面に集光させて照射することでデータの記録及び（又は）前記記録面に照射され反射してきたレーザ光を検出して情報の再生を行っている。
【０００３】
従来の光ディスク装置として、前記光ディスクをそのまま挿入するスロットインタイプのものがある（特開２００７−２０７３７１号公報等参照）。従来の光ディスク装置について図面を参照して説明する。図１３は従来の光ディスク装置の概略図であり、図１４は図１３の光ディスク装置に用いられるカバーシャーシの概略図である。図１３に示すように、光ディスク装置は、メインシャーシ９１と、メインシャーシ９１に昇降自在に配置された昇降シャーシ９２と、メインシャーシ９１の上部にメインシャーシ９１を覆うように設けられたカバーシャーシ９３とを備えている。
【０００４】
メインシャーシ９１は、樹脂の一体成型品であり、平面視長方形状の函体である。メインシャーシ９１には、光ディスクＤｓが挿入される開口部が形成されており、光ディスクＤｓの挿入方向の奥側で昇降シャーシ９２を昇降可能に支持している。また、メインシャーシ９１の開口部の近くには光ディスクＤｓを搬送するための搬送ローラ９１２が備えられている。
【０００５】
昇降シャーシ９２は光ディスクＤｓが所定の位置に搬送されてきたときに光ディスクＤｓを持ち上げるために上昇し、光ディスクＤｓが搬出されるときに下降する。昇降シャーシ９２には、光ディスクＤｓを下から保持し、回転駆動するディスク駆動機構９４と、光ディスクＤｓに記録または再生用の光を照射する光ピックアップ９５とを備えている。
【０００６】
カバーシャーシ９３は、樹脂の一体成型で形成されるものであり、メインシャーシ９１の辺縁部より立設されたリブ９１１の上部に配置される。カバーシャーシ９４には、ディスク駆動機構９４で持ち上げられた光ディスクＤｓの上面を保持するクランパ９３１が備えられている。カバーシャーシ９３はメインシャーシ９１の正面側の両角部及び背面側にねじで固定されている。
【０００７】
カバーシャーシ９３の正面側には、挿入された光ディスクＤｓを搬送ローラ９１２に押し当てるためのフラップ部９６が備えられている。フラップ部９６は、長尺形状を有し光ディスクＤｓを押すためのフラップ９６１と、フラップ９６１の長手方向両端部より突出した回動軸９６２とを備えている。フラップ部９６は回転軸９６２をカバーシャーシ９３に形成されたフラップホルダ９３２に回動可能に支持されている。また、フラップ９６１は図示を省略した弾性部材にて下方、すなわち、光ディスクＤｓを搬送ローラ９１２に押し当てるように付勢されている。
【０００８】
フラップホルダ９３２は、光ディスク装置を正面から見て左右両方に形成されており、一方（図１３において左側）は回転軸９６２を差し込むことで支持できる形状となっており、他方（図１３において右側）は回転軸９６２を配置した後、ねじＢｓでとめる構造となっている。
【先行技術文献】
【特許文献】
【０００９】
【特許文献１】特開２００７−２０７３７１号公報
【発明の概要】
【発明が解決しようとする課題】
【００１０】
しかしながら、フラップ部９６の回動軸９６２の一方がねじＢｓにて支持されている場合、構成部材が多くなり、ねじ止めのための手間も増える。また、ねじＢｓの締め付け具合によって、フラップ９６１にがたつきがあったり、回動しにくかったりといった、フラップ９６１の動作にばらつき（個体差）が生じることも考えられる。
【００１１】
さらに、フラップ９６１を取り付けるときに、樹脂で形成されたカバーシャーシ９３にねじＢｓを締結するので、ねじＢｓの締め付けがゆるいとねじのがたつきでねじ山がつぶれてしまうことも考えられる。ねじ山がつぶれてしまうと使用（フラップ９６１の回動）によって回転軸９６２をとめているねじＢｓが緩みフラップ９６１が外れてしまうことがありえる。フラップ９６１が外れてしまうと、光ディスクＤｓを安定して搬入することができなかったり、内部に挿入されている光ディスクＤｓを排出できなくなったりする不具合が発生する。
【００１２】
そこで本発明は、形状を工夫することで組み立てに必要なねじの数を減らし、部品点数を減らすとともに、組み立てに要する手間及び時間を低減できる光ディスク装置を提供することを目的とする。
【課題を解決するための手段】
【００１３】
上記目的を達成するために本発明は、メインシャーシの上面を覆うカバーシャーシと、光ディスクを前記メインシャーシに備えられた搬送ローラ側に押すフラップと、前記カバーシャーシに取り付けられ前記フラップを回動可能に支持するフラップホルダとを備え、光ディスクが単体で搬送される光ディスク装置であって、前記フラップホルダは前記カバーシャーシに形成された係止孔に係合される係止部を備えており、前記係止部は前記フラップホルダより立設された立設部と、前記立設部と交差する方向に伸び前記係止部が前記係止孔から抜けるのを抑制する止め部とを備えており、前記止め部は前記フラップホルダが前記カバーシャーシに取り付けられたとき、前記カバーシャーシとの間に隙間ができるように形成されている。
【００１４】
この構成によると、前記フラップホルダの前記係止部を前記カバーシャーシの係止孔に係合することで仮止めするので、前記フラップホルダを前記カバーシャーシに仮止めするねじが不要であり、それだけ、構成部材を減らすことができる。
【００１５】
また、前記止め部と前記カバーシャーシとの間に隙間があるので、前記フラップホルダは前記カバーシャーシに可動に取り付けられており、前記フラップホルダを前記カバーシャーシからずらす（回動させる）ことで、前記フラップを取り付けることができる。これにより、前記フラップを前記カバーシャーシに止めるためのねじが不要であり、構成部材をさらに減らすことが可能である。
【００１６】
以上に示したように、ねじを減らすことで、組み立てに要する手間及び時間も減らすことができる。
【００１７】
上記構成において、前記フラップホルダは前記フラップの回動方向と同じ方向に回動することで前記カバーシャーシに取り付けられるものであり、前記係止部は前記フラップの回動方向と平行な方向に曲がる形状であってもよい。この構成によると、前記フラップホルダを取り付けるときに回す方向と同じ方向に曲がる形状であるので、前記フラップホルダを容易に前記カバーシャーシに取り付けることが可能である。
【００１８】
上記構成において、前記係止部は、前記立設部と平行に配置された係合部と、前記立設部の先端と前記係合部とを連結する連結部とを備えたＵ字形状を有し、前記止め部は前記係合部の先端に形成されているものを挙げることができる。
【００１９】
この構成によると、前記係止部がＵ字形状を有しているので、前記係止部は変形量が大きくなる。これにより、前記フラップホルダを前記カバーシャーシに取り付けやすくなるとともに、前記フラップホルダを前記カバーシャーシに対する移動（回動）量を大きくすることが可能である。移動量が大きくなることで、前記フラップを前記フラップホルダに容易に取り付けることが可能である。
【００２０】
上記構成において、前記係止部は、前記止め部が前記立設部の先端に配置されているものであってもよい。
【００２１】
上記構成において、前記止め部は前記フラップホルダに近づくにしたがって広がる楔形状であってもよい。この構成によると、前記係止部を前記係止孔に押し付けることで、前記フラップホルダを前記カバーシャーシに取り付けることができる。これにより、前記フラップホルダの取り付けが容易になる。
【発明の効果】
【００２２】
本発明によると、組み立てに必要なねじの数を減らし、部品点数を減らすとともに、組み立てに要する手間及び時間を低減できる光ディスク装置を提供することができる。
【図面の簡単な説明】
【００２３】
【図１】本発明にかかる光ディスク装置の概略配置図である。
【図２】本発明にかかる光ディスク装置に用いられる左フラップホルダの平面図である。
【図３】図２に示す左フラップホルダの側面図である。
【図４】本発明にかかる光ディスク装置に用いられる右フラップホルダの平面図である。
【図５】図４に示す右フラップホルダの側面図である。
【図６】フラップホルダが取り付けられたカバーシャーシの平面図である。
【図７】図６に示すカバーシャーシの右側面から見た拡大図である。
【図８】右フラップホルダをカバーシャーシに取り付けする前の状態を示す図である。
【図９】右フラップホルダ及びカバーシャーシの取り付け完了直前の状態を示す図である。
【図１０】図（Ａ）、（Ｂ）は左右フラップホルダが取り付けられた状態のカバーシャーシにフラップを取り付ける手順を示す図である。
【図１１】本発明にかかる光ディスク装置に用いられる左フラップホルダの側面図である。
【図１２】本発明にかかる光ディスク装置を用いたＢＤ（ブルーレイ）レコーダの斜視図である。
【図１３】従来の光ディスク装置の概略図である。
【図１４】図１３の光ディスク装置に用いられるカバーシャーシの概略図である。
【発明を実施するための形態】
【００２４】
以下に本発明の実施形態を図面を参照して説明する。図１は本発明にかかる光ディスク装置の概略配置図である。なお、図１に示すように、光ディスクの挿入方向を前後方向とし、光ディスク装置の光ディスクが挿入される方向を背面方向（Ｂ方向）あるいは背面側（Ｂ側）とし、光ディスクが排出される方向を正面方向（Ｆ方向）あるいは正面側（Ｆ側）とする。以下、特に記述しない限り、この表現を用いる。
【００２５】
図１に示すように、光ディスク装置Ａは、メインシャーシ１と、メインシャーシ１に昇降可能に取り付けられた昇降シャーシ２と、メインシャーシ１の前側に配置され、光ディスクＤｓをメインシャーシ１側に押すフラップ部３と、メインシャーシ１及びフラップ部３の上部に取り付けられたカバーシャーシ４とを備えている。
【００２６】
メインシャーシ１は辺縁部に形成されたリブ１１と、リブ１１のメインシャーシの角部にリブ１１と一体形成されたねじ止め用のねじ止めリブ１２と、前側Ｆに形成され光ディスクＤｓを入出させる開口部１３と、開口部１３から見て内部側に配置され、光ディスクＤｓを搬送する搬送ローラ１４とを備えている。
【００２７】
また、ねじ止めリブ１２にはカバーシャーシ４をねじ止めするねじＢｔが螺合される雌ねじ穴１５が形成されている。光ディスク装置Ａにおいて、ねじ止めリブ１２はＦ側に２個、Ｂ側に２個形成されているが、それに限定されるものではなく、カバーシャーシ４を確実に固定することができる個数及び場所のものを広く採用することができる。少なくとも、Ｆ側に２個以上、Ｂ側に１個以上備えられていることが好ましい。
【００２８】
昇降シャーシ２は平面視長方形状の部材であり、長手方向一方の端部（Ｂ側の端部）に取り付け孔２１が形成されている。この取り付け孔２１をメインシャーシ１に形成されているボス１０が貫通する。昇降シャーシ２の取り付け孔２１とボス１０との間は隙間が形成されている。ボス１０と取り付け孔２１との隙間にはフローティングゴム（ダンパー）１００が配置されている。
【００２９】
昇降シャーシ２はフローティングゴム１００が配置されている隙間が形成されていることで、取り付け孔２１が形成されているＢ側を中心に回動可能であり、Ｆ側が光ディスクに対して昇降する。昇降シャーシ２はＦ側の端部より突出したボス２２を備えており、ボス２２がメインシャーシ１に備えられたスライダ１６のカム溝（不図示）に係合されている。スライダ１６が移動することでボス２２がカム溝に押され、昇降シャーシ２のＦ側は昇降する。
【００３０】
また、昇降シャーシ２のＦ側にはディスク駆動部５が配置されている。ディスク駆動部５は駆動力が出力されるモータ５１と、モータ５１の出力軸に固定されたターンテーブル５２とを有している。ディスク駆動部５は昇降シャーシ２の昇降によって、光ディスクＤｓに対して接近離反する。昇降シャーシ２が上昇するとき、ターンテーブル５２が光ディスクＤｓを押し上げる。また、昇降シャーシ２が下降するとき、ターンテーブル５２は光ディスクＤｓの搬送の邪魔にならない位置まで下方に移動する。
【００３１】
さらに、昇降シャーシ２には、光ディスクＤｓに情報の再生／記録のための光を照射させる光ピックアップ６も備えられている。光ピックアップ６は昇降シャーシ２に形成された配置孔２０に配置されており、ディスク駆動部５に対して接近／離反するように直線移動する。このように移動することで、光ピックアップ６から照射される光の光ディスクＤｓ上での照射部は光ディスクＤｓの径方向に移動する。
【００３２】
フラップ部３は、開口部１３より挿入される光ディスクＤｓのＢ側の先端部を搬送ローラ１４と接触するように押すフラップ３１と、フラップ３１を回転可能に支持するフラップホルダ３２と、カバーシャーシ４に取り付けられフラップ３１のＢ側を下方に押圧するばね３４とを備えている。フラップ３１は、矩形の板状の部材であり、長手方向に伸びる回転軸３１１が形成されている。回転軸３１１はフラップ３１の長手方向両端面部より突出しており、フラップホルダ３２に回動自在に支持されている。
【００３３】
また、フラップ３１は、昇降シャーシ２の上昇にあわせて、Ｂ側が持ち上げられるように構成されている。昇降シャーシ２が上昇することで光ディスクＤｓが持ち上げられても、光ディスクＤｓがフラップ３１と接触するのを抑制することができる。さらに、フラップ３１は、Ｂ側が持ち上げられるとＦ側に備えられた蓋部（不図示）が下方に下がり、開口部１３を閉じる。すなわち、内部に光ディスクＤｓが挿入されているときは、開口部１３が蓋部で閉じられており、内部に光ディスクＤｓが挿入された状態のときに、誤って光ディスクが挿入されるのを抑制することができる。
【００３４】
フラップホルダ３２は、メインシャーシ１のリブ１１のＦ側の角部の両方の上部に配置されるものであり、光ディスク装置ＡのＦ側から見て右側の右フラップホルダ３２Ｒと、左側の左フラップホルダ３２Ｌとを有している。フラップホルダ３２の形状の詳細については後述する。
【００３５】
カバーシャーシ４は金属板を折り曲げて形成された部材であり、メインシャーシ１の上部に配置され、ねじＢｔにて固定される。カバーシャーシ４には、光ディスクＤｓが挿入されたとき光ディスクＤｓのＢ側の先端部で押されるディスクストッパ４１と、カバーシャーシ４に回動可能に取り付けられるとともに、ディスクストッパ４１と連結されたディスクアーム４２とが配置されている。
【００３６】
また、カバーシャーシ４の四隅にはねじＢｔが貫通する貫通孔４０が形成されている。貫通孔４０はカバーシャーシ４をメインシャーシ１の上部に配置したとき、メインシャーシ１の雌ねじ穴１５と重なる位置に形成されている。さらに、カバーシャーシ４には、ディスクストッパ４１が摺動するときのガイドとなるガイド孔４３が形成されている。
【００３７】
メインシャーシ１には、ディスクアーム４２と係合し、ディスクアーム４２の回動にあわせてＢ側／Ｆ側に摺動するプッシュロッド１７と、プッシュロッド１７に押されるディスクスライダ１８とを備えている。また、プッシュロッド１７にはＦ側の先端にディスク判別ボス１９が設けられている。
【００３８】
ディスクストッパ４１は光ディスクＤｓに押されることで、ガイド孔４３に沿ってＢ側に摺動する。このとき、ディスクアーム４２はディスクストッパ４１の動きに合わせて回動する。ディスクアーム４２の回動によって、プッシュロッド１７がＦ側に押され、さらに、プッシュロッド１７に押されるディスクスライダ１８がＦ側に押される。このディスクスライダ１８の移動によってスライダ１６が駆動され、スライダ１６の駆動によって昇降シャーシ２が昇降する。
【００３９】
なお、プッシュロッド１７は、Ｆ側の先端に設けられたディスク判別ボス１９が光ディスクＤｓの外周部に押されているとき、回動するように形成されている。このとき、プッシュロッド１７はディスクアーム４２と係合しておらず、ディスクアーム４２が回動しても、プッシュロッド１７は移動しない。そして、光ディスクＤｓが所定の位置を越えると、ディスク判別ボス１９は光ディスクＤｓのＦ側に回り込み、プッシュロッド１７が元の位置にもどる。このとき、プッシュロッド１７はディスクアーム４２と係合し、ディスクアーム４２の回動によって、Ｆ側に移動される。これにより、光ディスクＤｓの外形寸法を判別し、光ディスクＤｓの中心が適切な位置に移動したときに、昇降シャーシ２を上昇させることができる。
【００４０】
また、カバーシャーシ４には、回動可能に支持されたクランパ４４が備えられている。クランパ４４は、昇降シャーシ２の上昇によってターンテーブル５２に持ち上げられた光ディスクＤｓをターンテーブル５２とで挟持する。これにより、光ディスクＤｓはターンテーブル５２とクランパ４４にて、他の部材と接触しないように支持されている。この状態でモータ５１を駆動して光ディスクＤｓを回転させ、光ピックアップ６より光を照射して光ディスクＤｓに情報を記録したり、光ディスクＤｓに記録されている情報を再生したりすることができる。
【００４１】
次に、本発明にかかる光ディスク装置の要部であるフラップホルダの詳細について図面を参照して説明する。図２は本発明にかかる光ディスク装置に用いられる左フラップホルダの平面図であり、図３は図２に示す左フラップホルダの側面図であり、図４は本発明にかかる光ディスク装置に用いられる右フラップホルダの平面図であり、図５は図４に示す右フラップホルダの側面図である。
【００４２】
図２、図３に示すように、左フラップホルダ３２Ｌは、天板部３２１Ｌと、天板部３２１Ｌの辺縁部より立設されメインシャーシ１のリブ１１の角部と接触配置される補強リブ３２２Ｌと、補強リブ３２２Ｌに一体形成され、カバーシャーシ４をメインシャーシ１に固定するねじが貫通するねじ孔３２３Ｌと、天板部３２１Ｌに一体形成されカバーシャーシ４と接触配置される抜け止め部３２４Ｌと、フラップ３１の回転軸３１１を回動可能に支持する軸支部３２５Ｌとを備えている。
【００４３】
天板部３２１Ｌは、補強リブ３２２Ｌと反対側に立設された円柱形状の位置決めボス３２６Ｌを備えている。位置決めボス３２６Ｌは、天板部３２１Ｌの長手方向に並んで配置されている。天板部３２１Ｌは補強リブ３２２Ｌにて補強されており、変形しにくい。ねじ孔３２３Ｌは貫通するねじの外径よりも大きな内径を有する円筒状の貫通孔であり、補強リブ３２２Ｌより外側に突出して形成されたねじ止めリブに形成されている。
【００４４】
軸支部３２５Ｌは、補強リブ３２２Ｌに形成されているものであり、補強リブ３２２Ｌより突出した突出部３２７Ｌを備えている。突出部３２７Ｌは、四方を囲むように配置された壁面を有する筒形状を有しており、フラップ３１の回転軸３１１が挿入されるとともに回動可能に支持される。また、突出部３２７Ｌはフラップ３１の長手方向の端部と接触し、フラップ３１が回転軸３１１の軸方向に移動するのもを抑制する。
【００４５】
また、左フラップホルダ３２Ｌは天板部３２１Ｌに設けられ、天板部３２１Ｌの補強リブ３２２Ｌと反対側に突出した係止部３３Ｌを備えている。係止部３３Ｌは、Ｕ字状の形状を有しており、天板部３２１Ｌと一体形成された立設部３３１Ｌと、立設部３３１Ｌと平行に形成された係合部３３２Ｌと、立設部３３１Ｌと係合部３３２Ｌとを連結する連結部３３３Ｌと、係合部３３２Ｌの先端に形成された止め部３３４Ｌとを備えている。
【００４６】
係止部３３Ｌの立設部３３１Ｌ、係合部３３２Ｌ及び連結部３３３Ｌはそれぞれ弾性的に曲げ変形可能である。立設部３３１Ｌは断面長方形状であり、断面の長辺が抜け止め部３２４Ｌが延伸する方向と直交するように、すなわち、立設部３３１Ｌが抜け止め部３２４Ｌの延伸方向に曲がりやすくなるように形成されている。また、止め部３３４Ｌは係合部３３２Ｌの先端部に向かって厚みが増す楔形の形状を有している。
【００４７】
一方、図４、図５に示すように、右フラップホルダ３２Ｒは、天板部３２１Ｒと、天板部３２１Ｒの辺縁部より立設されメインシャーシ１のリブ１１の角部と接触配置される補強リブ３２２Ｒと、補強リブ３２２Ｒに一体形成され、カバーシャーシ４をメインシャーシ１に固定するねじが貫通するねじ孔３２３Ｒと、天板部３２１Ｒに一体形成されカバーシャーシ４と接触配置される抜け止め部３２４Ｒと、フラップ３１の回転軸３１１を回動可能に支持する軸支部３２５Ｒとを備えている。
【００４８】
天板部３２１Ｒは、補強リブ３２２Ｒと反対側に立設された円柱形状の位置決めボス３２６Ｒを備えている。位置決めボス３２６Ｒは、天板部３２１Ｒの長手方向に並んで配置されている。天板部３２１Ｒは補強リブ３２２Ｒにて補強されており、変形しにくい。ねじ孔３２３Ｒは貫通するねじの外径よりも大きな内径を有する円筒状の貫通孔であり、補強リブ３２２Ｒより外側に突出して形成されたねじ止めリブに形成されている。
【００４９】
軸支部３２５Ｒは、補強リブ３２２Ｒに形成されているものであり、補強リブ３２２Ｒより突出した突出部３２７Ｒと、補強リブ３２２Ｒに形成された貫通孔３２８Ｒとを備えている。フラップ３１の回転軸３１１は貫通孔３２８Ｒを貫通するとともに、突出部３２７Ｒに支持される。突出部３２７Ｒは、フラップ３１の長手方向の端部と接触し、フラップ３１が回転軸３１１の軸方向に移動するのを抑制する。
【００５０】
また、右フラップホルダ３２Ｒは天板部３２１Ｒに設けられ、天板部３２１Ｒの補強リブ３２２Ｒと反対側に突出した係止部３３Ｒを備えている。係止部３３Ｒは、Ｕ字状の形状を有しており、天板部３２１Ｒと一体形成された立設部３３１Ｒと、立設部３３１Ｒと平行に形成された係合部３３２Ｒと、立設部３３１Ｒと係合部３３２Ｒとを連結する連結部３３３Ｒと、係合部３３２Ｒの先端に形成された止め部３３４Ｒとを備えている。
【００５１】
係止部３３Ｒの立設部３３１Ｒ、係合部３３２Ｒ及び連結部３３３Ｒはそれぞれ弾性的に曲げ変形可能である。立設部３３１Ｒは断面長方形状であり、断面の長辺が抜け止め部３２４Ｒが延伸する方向と直交するように、すなわち、立設部３３１Ｒが抜け止め部３２４Ｒの延伸方向に曲がりやすくなるように形成されている。また、止め部３３４Ｒは係合部３３２Ｒの先端部に向かって厚みが増す楔形の形状を有している。
【００５２】
なお、図２、図３に示す左フラップホルダ３２Ｌの天板部３２１Ｌと、図４、図５に示す右フラップホルダ３２Ｒの天板部３２１Ｒ形状は異なっているが、カバーシャーシ４の形状及びフラップ３１の形状によって異なるものであり、互いに鏡像の関係であってもよい。
【００５３】
以下に、光ディスク装置の組み立て手順について詳しく説明する。光ディスク装置Ａは、フラップ部３がカバーシャーシ４に仮固定された後、フラップ部３を保持したカバーシャーシ４を昇降シャーシ２が取り付けられているメインシャーシ１の上部に載置し、ねじ止めにて固定することで組み立てられる。
【００５４】
左右フラップ部３２（３２Ｌ、３２Ｒ）が仮設された状態のカバーシャーシ４について詳しく説明する。図６はフラップホルダが取り付けられたカバーシャーシの平面図であり、図７は図６に示すカバーシャーシの右側面から見た拡大図である。
【００５５】
図６、図７に示すように、カバーシャーシ４のＦ側は、フラップ部３が係合することができるように、段差４５が形成されている。また、段差４５の左右両端部には、左フラップホルダ３２Ｌ及び右フラップホルダ３２Ｒのそれぞれが配置される。各フラップホルダ３２Ｌ、３２Ｒが配置される部分には、抜け止め部３２４Ｌ、３２４Ｒがそれぞれ係合される保持部４５１と、位置決めボス３２６Ｌ、３２６Ｒが貫通する位置決め孔４５２と、係止部３３Ｌ、３３Ｒが係合される係止孔４５３と、係止孔４５３の内側に突出するように形成された係止凸部４５４とを備えている。
【００５６】
また、段差４５には、左右二箇所にフラップ３１を付勢するための弾性部材であるばね３４が取り付けられるばね設置部４６が形成されている。なお、本実施形態のカバーシャーシ４では、係止孔４５３とばね設置部４６とは隣接して一体の孔として形成されているが、これに限定されるものではなく、別途形成されていてもよい。
【００５７】
ばね３４は中間部にコイル部３４０と、コイル部３４０の両端部に形成された第１直線部３４１と、第２直線部３４２とを備えている。ばね設置部４６は貫通した孔であり、コイル部３４０を係合するコイル係合部４６１と、第１直線部３４１が係合されたばね係合部４６２とを備えている。また、ばね係合部４６２はばね３４を仮設置するときに、第２直線部３４２も係合される凸部である。
【００５８】
カバーシャーシ４にフラップホルダ３２を取り付ける手順について図面を参照して説明する。図８は右フラップホルダをカバーシャーシに取り付けする前の状態を示す図であり、図９は右フラップホルダ及びカバーシャーシの取り付け完了直前の状態を示す図である。なお、ここでは、右フラップホルダ３２Ｒを取り付ける手順について説明するが、右フラップホルダ３２Ｒの取り付け手順も同様であり、右フラップホルダ３２Ｒの取り付けの手順に関する詳細な記載は省略する。
【００５９】
図８に示すように、カバーシャーシ４の保持部４５１に抜け止め部３２４Ｒを係合させつつ、天板部３２１Ｒがカバーシャーシ４の段差４５の右端部と接触するように、右フラップホルダ３２Ｒを抜け止め部３２４Ｒを中心に回転させる。これにより、位置決めボス３２６Ｒが位置決め孔４５２に向かって移動する。
【００６０】
図９に示すように、位置決め孔４５２に位置決めボス３２６Ｒが挿入されるとき、係止部３３Ｒの立設部３３１Ｒ、係合部３３２Ｒ及び連結部３３３Ｒは変形（弾性曲げ）しながら係止孔４５３に挿入される。すなわち、係止部３３Ｒは連結部３３３Ｒ側から係止孔４５３に挿入され、止め部３３４Ｒが係止凸部４５４と接触するときに、止め部３３４Ｒの傾斜部が係止凸部４５４と接触して立設部３３１Ｒ、係合部３３２Ｒ及び連結部３３３Ｒが変形する。
【００６１】
止め部３３４Ｒが係止孔４５３を通過し終えると、止め部３３４Ｒが係止凸部４５４から受けていた力が解放され、立設部３３１Ｒ、係合部３３２Ｒ及び連結部３３３Ｒは元の形状に戻る（図７参照）。このとき、止め部３３４Ｒの一部が係止凸部４５４と上下に重なるように移動する。これにより、右フラップホルダ３２Ｒはカバーシャーシ４の段差の右端正規位置に仮止めされる。なお、右フラップホルダ３２Ｒがカバーシャーシ４に取り付けられた状態において、止め部３３４Ｒの先端とカバーシャーシ４との間に隙間があり、右フラップホルダ３２Ｒは遊びがある状態でカバーシャーシ４に取り付けられている（図７参照）。左フラップホルダ３２Ｌも同様の手順で、遊びがある状態でカバーシャーシ４に取り付けられている。
【００６２】
次に、左フラップホルダ３２Ｌ及び右フラップホルダ３２Ｒにフラップ３１を取り付ける手順について図面を参照して説明する。図１０（Ａ）、（Ｂ）は左右フラップホルダが取り付けられた状態のカバーシャーシにフラップを取り付ける手順を示す図である。
【００６３】
図１０（Ａ）に示すように、右フラップホルダ３２Ｒは右側を中心に下方に回転される。右フラップホルダ３２Ｒには係止部３３Ｒの止め部３３４Ｒとカバーシャーシ４の隙間分の遊びがあり、さらに、係止部３３Ｒが弾性変形することで、右フラップホルダ３２Ｒは遊びによる変位量以上の回転が可能である。右フラップホルダ３２Ｒを回転させた状態で、右フラップホルダ３２Ｒの軸支部３２５Ｒに回転軸３１１のフラップ３１の右端部より突出した部分を挿入する。回転軸３１１は右フラップホルダ３２Ｒの補強リブ３２３Ｒに形成された貫通孔３２８Ｒに挿入される。
【００６４】
右フラップホルダ３２Ｒの軸支部３２５Ｒに回転軸３１１を挿入配置した後、左フラップホルダ３２Ｌは、右ラップホルダ３２Ｒと反対側、すなわち、左側を中心に下方に回動される。左フラップホルダ３２Ｌも右フラップホルダ３２Ｒと同様、係止部３３Ｌとカバーシャーシ４との遊び、及び、係止部３３Ｌの弾性変形によって回転される。左フラップホルダ３２Ｌは回転させた状態で回転軸３１１のフラップ３１の左端部より突出した部分が係合される。このとき、回転軸３１１は右フラップホルダ３２Ｒの補強リブ３２３Ｒに形成された突出部３２７Ｌの下部に形成された切り欠き部３２９Ｌを通過し、突出部３２７Ｌで囲まれた部分に移動する。
【００６５】
そして、左フラップホルダ３２Ｌ及び右フラップホルダ３２Ｒのそれぞれの天板部３２１Ｌ及び３２１Ｒがカバーシャーシ４に当接される。これにより、フラップ３１は回転軸３１１の両端部が左右フラップ部３２Ｌ、３２Ｒそれぞれの軸支部３２５Ｌ、３２５Ｒに脱落しないよう回動自在に支持されて、カバーシャーシ４に取り付けられる（図１０（Ｂ）参照）。なお、この状態では、フラップ部３はカバーシャーシ４に仮設されている状態である。
【００６６】
左右フラップホルダ３２Ｌ、３２Ｒが仮設されたカバーシャーシ４はメインシャーシ１の上面に固定される。このとき、左右フラップホルダ３２Ｌ、３２Ｒはメインシャーシ１のリブ１１のＦ側両角部と接触する。そして、ねじＢｔをカバーシャーシ４の貫通孔４０及び左右フラップホルダ３２Ｌ、３２Ｒのねじ孔３２３Ｌ、３２３Ｒを貫通させるとともに、メインシャーシ１のねじ穴１５に螺合させる。これにより、カバーシャーシ４がメインシャーシ１に固定されるとともに、フラップ部３はメインシャーシ１とカバーシャーシ４に挟持されて強固に固定される。左右フラップホルダ３２Ｌ、３２Ｒはメインシャーシ１のリブ１１のＦ側の左右両角部と接触しており、カバーシャーシ４の段差４５以外の部分はリブ１１と接触して配置されている。
【００６７】
そして、予めばね設置部４６に仮設されていたばね３４の第２直線部３４２を、ばね係合部４６２から外し、フラップ３１の上部と当接させ、フラップ３１を回転軸３１１中心に下方に押すように配置する。このように、左右フラップホルダ３２Ｌ、３２Ｒとカバーシャーシ４とをねじＢｔにてメインシャーシ１に共締めすることで、左右フラップホルダ３２Ｌ、３２Ｒはメインシャーシ１とカバーシャーシ４に挟まれて固定されるので、フラップ部３がぐらつくことはない。
【００６８】
以上、示したように、左右フラップホルダ３２Ｌ、３２Ｒがカバーシャーシ４に取り付けられるときに、遊びがあるとともに、カバーシャーシ４に係合する部分が弾性変形可能に形成されていることで、フラップ３１を容易に取り付けることができる。また、係止部３３Ｌ、３３Ｒの弾性変形による回転であるので、左右フラップホルダ３２Ｌ、３２Ｒは天板部３２１Ｌ、３２１Ｒがカバーシャーシ４と接触する位置に戻る。これにより、フラップ３１を左右フラップホルダ３２Ｌ、３２Ｒから抜けるのを抑制するための、ねじ等の支持部材が不要であり、構成部材を減らすことが可能であるとともに、組み立てに要する手間と時間を低減することができる。
【００６９】
また、回転軸３１１は軸支部３２５Ｌ、３２５Ｒに回動自在に支持されるので、ねじ止め或いは支持部材の取り付けによって、回転軸３１１の動作が制限されてしまい、フラップ３１の動作が悪くなったり、逆にねじ止め或いは支持部材の取り付けが不十分で、フラップ３１の動作が不安定になったりするのを抑制することができる。
【００７０】
また、抜け止め部３２４Ｌ、３２４Ｒ及び係止部３３Ｌ、３３Ｒを用いて左右フラップホルダ３２Ｌ、３２Ｒをカバーシャーシ４に仮止めするので、従来仮止めに必要であったねじ及び（または）仮止め部材をなくすことが可能であり、構成部材を減らすことができる。これによって、左右フラップホルダ３２Ｌ、３２Ｒを取り付けるときの手間及び時間を減らすことが可能である。
【００７１】
上記実施形態において、係止部３３Ｌ、３３Ｒが抜け止め部３２４Ｌ、３２４Ｒの延伸方向と同じ方向に弾性的に曲げられているが、それに限定されるものではなく、抜け止め部３２４Ｌ、３２４Ｒの延伸方向と係止部３３Ｌ、３３Ｒの曲げ方向とが同じ方向でなくてもよい。抜け止め部３２４Ｌ、３２４Ｒの延伸方向と係止部３３Ｌ、３３Ｒの曲げ方向とが同じ方向の場合、抜け止め部３２４Ｌ、３２４Ｒを保持部４５１に取り付けるべくフラップホルダ３２Ｌ、３２Ｒを傾けたときに、係止部３３Ｌ、３３Ｒを曲げることで容易に係止凸部４５４に係止させることができるので、着脱を容易に行うことが可能である。
【００７２】
本発明にかかるフラップホルダの他の例を図面を参照して説明する。図１１は本発明にかかる光ディスク装置に用いられる左フラップホルダの側面図である。なお、図１１には、左フラップホルダのみを示すが右フラップホルダについても同様の形状を有するものである。図１１に示す左フラップホルダは、係止部が異なる以外は図３に示す左フラップホルダと同じ構成を有するものであり、実質上同じ部分には同じ符号が付してある。また、実質上同じ部分に関しての説明は省略する。
【００７３】
図１１に示すように、左フラップホルダ３２Ｌの係止部３５Ｌは、天板部３２１Ｌより立設された立設部３５１Ｌと、立設部３５１Ｌの先端部に備えられた止め部３５２Ｌとを備えている。立設部３５１Ｌは抜け止め部３２４Ｌの延伸方向に曲げられるように配置された柱状の部材である。止め部３５２Ｌは、先端に向かって細くなる楔形状を有するものであり、最も根元側の部分が立設部３５１Ｌの外側に飛び出した形状を有している。
【００７４】
左フラップホルダ３２Ｌがカバーホルダ４に取り付けられているとき、係止部３５Ｌとカバーシャーシ４との間には隙間が形成されており、左フラップホルダ３２Ｌは遊びがある状態で、カバーシャーシ４に取り付けられる。取り付け手順については、上述しているとおりである。また、右側フラップホルダ３２Ｒも同様に遊びがある状態で取り付けられる。
【００７５】
図１１に示す左フラップホルダ３２Ｌのように係止部３５Ｌの形状が簡単な形状なので、製造の手間、時間を省くことが可能である。また、係止部３５Ｌが破損しにくい。
【００７６】
図１２は本発明にかかる光ディスク装置を用いたＢＤ（ブルーレイ）レコーダの斜視図である。図１２に示すように、ＢＤレコーダＲｄは、筐体Ｏｈの内部に光ディスク装置Ａが配置されており、筐体Ｏｈの正面に配置されたフロントパネルＦｐに形成された開口Ｏｐより光ディスクＤｓを直接光ディスク装置Ａの内部に挿入するものである。
【００７７】
上記実施形態の説明は、本発明を説明するためのものであって、特許請求の範囲に記載の発明を限定し、或は範囲を減縮する様に解すべきではない。本発明の各部構成は上記実施形態に限らず、特許請求の範囲に記載の技術的範囲内で種々の変形が可能であることは勿論である。
【産業上の利用可能性】
【００７８】
本発明は、光ディスクに情報を記録または光ディスクから情報を再生する光ディスク装置に利用することができる。
【符号の説明】
【００７９】
Ａ  光ディスク装置
１  メインシャーシ
１０  ボス
１００  フローティングゴム
１１  リブ
１２  ねじ止めリブ
１３  開口部
１４  搬送ローラ
１５  ねじ穴
１６  スライダ
１７  プッシュロッド
１８  ディスクスライダ
１９  ディスク判別ボス
２  昇降シャーシ
２０  配置孔
２１  取り付け孔
３  フラップ部
３１  フラップ
３１１  回転軸
３２Ｌ  左側フラップホルダ
３２Ｒ  右側フラップホルダ
３２１Ｌ、３２１Ｒ  天板部
３２２Ｌ、３２２Ｒ  補強リブ
３２３Ｌ、３２３Ｒ  ねじ孔
３２４Ｌ、３２４Ｒ  抜け止め部
３２５Ｌ、３２５Ｒ  軸支部
３２６Ｌ、３２６Ｒ  位置決めボス
３２７Ｌ、３２７Ｒ  突出部
３２８Ｒ  貫通孔
３３Ｌ、３３Ｒ  係止部
３３１Ｌ、３３１Ｒ  立設部
３３２Ｌ、３３２Ｒ  係合部
３３３Ｌ、３３３Ｒ  連結部
３３４Ｌ、３３４Ｒ  止め部
４  カバーシャーシ
４０  貫通孔
４１  ディスクストッパ
４２  ディスクアーム
４３  ガイド孔
４４  クランパ
４５  段差
４５１  保持部
４５２  位置決め孔
４５３  係止孔
４６  ばね設置部
４６１  コイル係合部
４６２  ばね係合部
５  ディスク駆動部
５１  モータ
５２  ターンテーブル
Ｄｓ  光ディスク
【図１】
2010198652.tif 000003
【図２】
2010198652.tif 000004
【図３】
2010198652.tif 000005
【図４】
2010198652.tif 000006
【図５】
2010198652.tif 000007
【図６】
2010198652.tif 000008
【図７】
2010198652.tif 000009
【図８】
2010198652.tif 000010
【図９】
2010198652.tif 000011
【図１０】
2010198652.tif 000012
【図１１】
2010198652.tif 000013
【図１２】
2010198652.tif 000014
【図１３】
2010198652.tif 000015
【図１４】
2010198652.tif 000016